(57)【要約】【課題】簡易な構成で生産性を低下させることなく、混色を防止する。【解決手段】開口部８４を開く場合、軸部９６から最も離れた位置で接触部９８が開閉部材８５に接触するように、制御部６２は、軸部９６を中心にして接触部９８を回転させる。開閉部材８５が付勢部材９３の付勢に抗して接触部材９４に押されることにより、開口部８４が略全て開かれ、現像剤収容器８０内の現像剤は現像ロール６８に供給される。接触部材９４が所定量の回転すると、接触部９８の開閉部材８５に対する接触位置が変化し、開口部８４が約半分閉じられ、現像剤収容器８０内の現像剤の上面と、磁石９０の引付極との間に開閉部材８５が位置することとなり、現像剤の供給は遮断される。接触部材９４がさらに回転すると、開閉部材８５は、軸部９６に最も近い位置で接触部９８に接触し、付勢部材９３の付勢によって開口部８４を閉じる。【選択図】図３
2009198976.tif 000002
【特許請求の範囲】
【請求項１】
現像剤を像保持体に供給する現像ロールと、
回転軸を中心にして回転する回転体と、
この回転体に設けられ、前記現像ロールに供給する複数色の現像剤を個別に収容する複数の現像剤収容部と
を具備し、
前記現像剤収容部は、
前記現像ロールに現像剤を供給するための開口部が設けられた現像剤収容部本体と、
前記開口部を変位によって開閉する開閉部材と
を有し、
前記開閉部材は、
現像剤を供給可能なように前記開口部を開いた状態、現像剤の供給を遮断するように前記開口部の一部を閉じた状態及び前記開口部を閉じた状態を少なくとも維持可能に変位する
現像装置。
【請求項２】
前記開閉部材は、
前記回転体の回転に応じて前記開口部を開閉するように変位する
請求項１記載の現像装置。
【請求項３】
像保持体と、
この像保持体に現像剤を供給する現像ロールと、
回転軸を中心にして回転する回転体と、
この回転体に設けられ、前記現像ロールに供給する複数色の現像剤を個別に収容する複数の現像剤収容部と
を具備し、
前記現像剤収容部は、
前記現像ロールに現像剤を供給するための開口部が設けられた現像剤収容部本体と、
前記開口部を変位によって開閉する開閉部材と
を有し、
前記開閉部材は、
現像剤を供給可能なように前記開口部を開いた状態、現像剤の供給を遮断するように前記開口部の一部を閉じた状態及び前記開口部を閉じた状態を少なくとも維持可能に変位する
画像形成装置。
【請求項４】
前記開閉部材は、
前記回転体の回転に応じて前記開口部を開閉するように変位する
請求項３記載の画像形成装置。
【請求項５】
前記開閉部材に直接又は間接的に接触可能な接触部材をさらに有し、
前記開閉部材は、
該開閉部材に直接又は間接的に接触する前記接触部材の接触位置が変化することによって開閉する
請求項３又は４記載の画像形成装置。
【発明の詳細な説明】
【技術分野】
【０００１】
本発明は、現像装置及び画像形成装置に関するものである。
【背景技術】
【０００２】
特許文献１は、１つの現像スリーブと独立的に制御可能な複数の現像粉供給装置を備えた磁気ブラシ現像装置を開示する。特許文献２は、潜像担持体に近接させて配置した現像スリーブと、複数個の現像粉収納容器と、各容器毎にマグネットロールを配設された磁気ブラシ現像装置を開示する。特許文献３は、現像剤収容タンクが複数の種類の現像剤を収容し、現像スリーブと搬送スリーブがそれぞれ１つずつ設けられた多色現像装置を開示する。特許文献４は、回転することによって現像スリーブへ現像剤を送り出すローラと、このローラが停止した場合に現像スリーブのまわりの現像剤を回収する回収部材を有する現像装置を開示する。特許文献５は、現像器に現像液と洗浄液とを交互に循環可能とした液体現像装置を開示する。
【０００３】
【特許文献１】特開昭５４−７３６４６号公報
【特許文献２】特開昭５４−１２４７３３号公報
【特許文献３】特開昭６１−０２０９６１号公報
【特許文献４】特開昭６１−２０１２７１号公報
【特許文献５】特開平５−１５８３２１号公報
【発明の開示】
【発明が解決しようとする課題】
【０００４】
本発明は、簡易な構成で生産性を低下させることなく、混色を防止することができる現像装置及び画像形成装置を提供することを目的とする。
【課題を解決するための手段】
【０００５】
上記目的を達成するため、請求項１に係る本発明は、現像剤を像保持体に供給する現像ロールと、回転軸を中心にして回転する回転体と、この回転体に設けられ、前記現像ロールに供給する複数色の現像剤を個別に収容する複数の現像剤収容部とを具備し、前記現像剤収容部は、前記現像ロールに現像剤を供給するための開口部が設けられた現像剤収容部本体と、前記開口部を変位によって開閉する開閉部材とを有し、前記開閉部材は、現像剤を供給可能なように前記開口部を開いた状態、現像剤の供給を遮断するように前記開口部の一部を閉じた状態及び前記開口部を閉じた状態を少なくとも維持可能に変位する現像装置である。
【０００６】
請求項２に係る本発明は、前記開閉部材は、前記回転体の回転に応じて前記開口部を開閉するように変位する請求項１記載の現像装置である。
【０００７】
請求項３に係る本発明は、像保持体と、この像保持体に現像剤を供給する現像ロールと、回転軸を中心にして回転する回転体と、この回転体に設けられ、前記現像ロールに供給する複数色の現像剤を個別に収容する複数の現像剤収容部とを具備し、前記現像剤収容部は、前記現像ロールに現像剤を供給するための開口部が設けられた現像剤収容部本体と、前記開口部を変位によって開閉する開閉部材とを有し、前記開閉部材は、現像剤を供給可能なように前記開口部を開いた状態、現像剤の供給を遮断するように前記開口部の一部を閉じた状態及び前記開口部を閉じた状態を少なくとも維持可能に変位する画像形成装置である。
【０００８】
請求項４に係る本発明は、前記開閉部材は、前記回転体の回転に応じて前記開口部を開閉するように変位する請求項３記載の画像形成装置である。
【０００９】
請求項５に係る本発明は、前記開閉部材に直接又は間接的に接触可能な接触部材をさらに有し、前記開閉部材は、該開閉部材に直接又は間接的に接触する前記接触部材の接触位置が変化することによって開閉する請求項３又は４記載の画像形成装置である。
【発明の効果】
【００１０】
請求項１に係る本発明によれば、本構成を有していない場合に比較して、簡易な構成で生産性を低下させることなく、混色を防止することができる。
【００１１】
請求項２に係る本発明によれば、請求項１に係る本発明の効果に加えて、本構成を有していない場合に比較して、簡易な構成で生産性を低下させることなく、混色を防止することができる。
【００１２】
請求項３に係る本発明によれば、本構成を有していない場合に比較して、簡易な構成で生産性を低下させることなく、混色を防止することができる。
【００１３】
請求項４に係る本発明によれば、請求項３に係る本発明の効果に加えて、本構成を有していない場合に比較して、簡易な構成で生産性を低下させることなく、混色を防止することができる。
【００１４】
請求項５に係る本発明によれば、請求項３又は４に係る本発明の効果に加えて、本構成を有していない場合に比較して、簡易な構成で生産性を低下させることなく、混色を防止することができる。
【発明を実施するための最良の形態】
【００１５】
次に本発明の第１の実施形態を図面に基づいて説明する。
図１において、本発明の第１の実施形態に係る画像形成装置１０の概要が示されている。画像形成装置１０は、画像形成装置本体１２を有し、この画像形成装置本体１２の背面側（図１において右側）に例えば１段の給紙ユニット１４が配置されている。
【００１６】
給紙ユニット１４は、用紙が収容される給紙カセット１６を有する。給紙カセット１６の上部には、給紙カセット１６から用紙を取り出す取り出しロール１８が配置され、この取り出しロール１８の前方に供給ロール２０及び捌きロール２２が配置されている。
【００１７】
供給ロール２０は、図示しない駆動部によって駆動され、用紙を後述する搬送路２４に向けて供給するように回転する。捌きロール２２は、供給ロール２０に対して圧接され、供給ロール２０の回転に応じて回転可能にされており、供給ロール２０とともに用紙を１枚ずつ後述する搬送路２４に向けて供給するように回転する。
【００１８】
搬送路２４は、供給ロール２０から排出口２６までの用紙通路であり、この搬送路２４は、画像形成装置本体１２の上部にあって、給紙ユニット１４から排出口２６まで略水平に形成されている。この搬送路２４の定着装置２８の上流側に後述する二次転写ロール６０と二次転写バックアップロール５４とが配置され、二次転写ロール６０と二次転写バックアップロール５４の上流側にレジストロール３０が配置されている。また、搬送路２４の排出口２６の近傍には排出ロール３２が配置されている。
【００１９】
したがって、給紙ユニット１４の給紙カセット１６から取り出しロール１８により取り出された用紙は、供給ロール２０及び捌きロール２２により捌かれて最上部の用紙のみ搬送路２４に導かれ、レジストロール３０により一時停止され、タイミングをとって後述する二次転写ロール６０と二次転写バックアップロール５４との間を通って現像剤像が転写され、この転写された現像剤像が定着装置２８により定着され、排出ロール３２により排出口２６から排出される。
【００２０】
画像形成装置本体１２には、例えば略中央部に現像装置３４が配置されている。現像装置３４は、イエロー（Ｙｅｌｌｏｗ）、マゼンタ（Ｍａｇｅｎｔａ）、シアン（Ｃｙａｎ）及び黒（Ｂｌａｃｋ）の４色の現像剤により、後述する像保持体３６が保持する静電潜像を可視化する。
【００２１】
現像装置３４には、例えば感光体からなる像保持体３６が画像形成装置１０の正面側（図１において左側）の上方から接触するように配置されている。像保持体３６の背面側には、該像保持体３６を一様帯電する例えば帯電ロールからなる帯電装置３８が設けられている。つまり像保持体３６には、現像バイアスがかけられている。また、像保持体３６には、該像保持体３６の回転方向の帯電装置３８よりも上流側に像保持体用クリーナ４０が当接している。像保持体用クリーナ４０は、例えば一次転写後に像保持体３６に残留する現像剤を掻き取る。
【００２２】
現像装置３４の上方には、帯電装置３８により帯電された像保持体３６に、レーザ光などの光線により潜像を書き込む露光装置４２が配置されている。また、像保持体３６の正面側には、現像装置３４によって可視化された現像剤像を一次転写位置で一次転写され、後述する二次転写位置まで搬送する中間転写装置４４が設けられている。
【００２３】
中間転写装置４４は、例えば中間転写ベルトなどの中間転写体４６、一次転写ロール４８、支持ロール５０，５２、二次転写位置で二次転写ロール６０に対向し、中間転写体４６を支持する二次転写バックアップロール５４、テンションロール５６，５８から構成される。中間転写体４６は、一次転写ロール４８の上流に配置された支持ロール５０と、一次転写ロール４８の下流に配置された支持ロール５２との間で像保持体３６にラップ状に当接する一次転写部を有し、像保持体３６に所定の範囲だけ巻きついて、像保持体３６の回転に従って回転する。テンションロール５６，５８は、中間転写体４６に所定の張力を与えている。そして、中間転写体４６は、一次転写ロール４８によって像保持体３６上の現像剤像を例えばイエロー、マゼンタ、シアン、黒の順に重ねて一次転写され、この一次転写された現像剤像を後述する二次転写ロール６０に向けて搬送する。
【００２４】
中間転写装置４４の二次転写バックアップロール５４には、搬送路２４を挟んで二次転写ロール６０が配置されている。つまり、二次転写ロール６０と二次転写バックアップロール５４との間が二次転写位置となっており、二次転写ロール６０は、二次転写バックアップロール５４の補助により、中間転写体４６に一次転写された現像剤像を二次転写位置で用紙に二次転写する。ここで、二次転写ロール６０は、中間転写体４６が３回転する間、すなわちイエロー、マゼンタ、シアンの３色の現像剤像を搬送する間は中間転写体４６から離間しており、黒の現像剤像が転写されると中間転写体４６に当接するようにされている。なお、二次転写ロール６０と二次転写バックアップロール５４との間には、所定の電位差が生じるようにされており、例えば二次転写ロール６０を高電圧にした場合には、二次転写バックアップロール５４はグランド（ＧＮＤ）などに接続される。
【００２５】
搬送路２４の二次転写位置の下流には、定着装置２８が配置されている。定着装置２８は、加熱ロールと加圧ロールとを有し、二次転写ロール６０及び二次転写バックアップロール５４により用紙に二次転写された現像剤像を用紙に定着させ、排出ロール３２に向けて搬送する。
【００２６】
また、画像形成装置１０の内部には、画像形成装置１０を構成する各部を制御する制御部６２が設けられている。
【００２７】
次に現像装置３４について詳述する。
図２において、現像装置３４が示されている。現像装置３４は、現像装置本体６６、現像ロール６８及び層厚規制部材７０を有する。
【００２８】
現像装置本体（回転体）６６は、イエロー（Ｙｅｌｌｏｗ）、マゼンタ（Ｍａｇｅｎｔａ）、シアン（Ｃｙａｎ）及び黒（Ｂｌａｃｋ）の現像剤をそれぞれ収容する現像剤収容器８０ａ〜８０ｄが設けられており、回転軸８２を中心として例えば反時計回り（図２において左回り）に回転可能にされ、現像剤収容器８０ａ〜８０ｄが回転軸８２を中心とした現像剤収容器切り換え経路に沿って順次に現像ロール６８に対向する位置に移動するようにされている。
【００２９】
現像剤収容器８０ａ〜８０ｄは、現像ロール６８に供給する上述した４色の現像剤を個別に収容する現像剤収容部本体８３ａ〜８３ｄを有し、この現像剤収容部本体８３ａ〜８３ｄには現像ロール６８に現像剤を供給するための開口部８４ａ〜８４ｄが設けられている。また、現像剤収容部本体８３ａ〜８３ｄは、変位することによって開口部８４ａ〜８４ｄを開閉する開閉部材８５ａ〜８５ｄと、内部に配置される第１の攪拌搬送部材８６ａ〜８６ｄ及び第２の攪拌搬送部材８８ａ〜８８ｄとが設けられている。
【００３０】
また、現像剤収容器８０ａ〜８０ｄは、例えば、現像装置本体６６の回転に応じて、開口部８４ａ〜８４ｄが正面側（図２において左側）の上方を向いたまま現像剤収容器切り換え経路に沿って移動し、現像ロール６８に対向する現像剤供給回収位置に移動した場合に、開閉部材８５ａ〜８５ｄが変位して開口部８４ａ〜８４ｄが開くようにされている（図４などを用いて後述）。
【００３１】
第１の攪拌搬送部材８６は、例えば螺旋形状の部材であって反時計回り（図２において左回り）に回転し、現像剤を攪拌しつつ第２の攪拌搬送部材８８へ搬送する。第２の攪拌搬送部材８８は、例えば螺旋形状の部材であって反時計回りに回転し、現像剤を攪拌するとともに、現像剤供給回収位置に現像剤収容器８０が移動した場合に現像剤を現像ロール６８に供給する。また、第１の攪拌搬送部材８６及び第２の攪拌搬送部材８８は、現像剤を攪拌しつつ搬送し、現像剤収容器８０内で循環させている。そして、現像剤収容器８０が現像剤供給回収位置に移動すると、現像剤収容器８０内の現像剤が現像ロール６８に供給されるとともに、現像ロール６８に残留する現像剤が現像ロール６８から現像剤収容器８０に回収されるようになっている。
【００３２】
なお、現像剤収容器８０ａ〜８０ｄが収容している現像剤は、例えば非磁性トナー及び磁性キャリアを有する２成分現像剤であり、第１の攪拌搬送部材８６ａ〜８６ｄ及び第２の攪拌搬送部材８８ａ〜８８ｄによって攪拌されることにより、磁性キャリアの周囲に非磁性トナーが付着するようにされている。
以下、現像剤収容器８０ａ〜８０ｄなど複数ある構成部分のいずれかを特定せずに示す場合には、単に「現像剤収容器８０」などと略記することがある。
【００３３】
現像ロール６８は、軸方向に延びたＮ極及びＳ極を複数備えて固定された略円柱状の磁石９０と、この磁石９０を内部に収容して例えば反時計回り（図２において左回り）に回転し、該磁石９０の磁力に応じて現像剤を周方向に搬送するスリーブ９２とを有する。磁石９０には、像保持体３６に対向して配置されて現像ロール６８上の現像剤を像保持体３６へ供給する磁極（現像極）と、現像剤収容器８０側上部に配置されて現像剤収容器８０から現像剤を引き付ける磁極（引付極）と、現像剤収容器８０側下部に配置されて現像剤を反発させる磁極（剥離極：例えば隣接する２つのＳ極）とが設けられている。
層厚規制部材７０は、現像ロール６８の表面に付着した（現像ロール６８が保持した）現像剤の層厚を規制する。
【００３４】
次に、現像ロール６８への現像剤の供給と、現像ロール６８からの現像剤の回収について説明する。
現像剤収容器８０の現像剤供給回収位置は、上述したように、現像剤収容器８０が現像装置本体６６の回転に応じて移動する現像剤収容器切り換え経路上で現像ロール６８に対向するように移動した位置である。現像剤収容器８０が現像剤供給回収位置に移動すると、開閉部材８５が変位することにより、開口部８４が開かれるようにされている。
また、現像剤収容器８０が現像剤供給回収位置に移動した場合に、現像剤の上面までの距離が、現像剤を引き付けるように引付極の磁力が作用する距離以下になり、現像剤収容器８０内の現像剤が引付極の磁力によってスリーブ９２の表面に付着する。つまり、現像剤収容器８０に収容された現像剤が現像ロール６８に供給される。
【００３５】
現像ロール６８に供給された現像剤は、上述した磁石９０の現像極の作用によって像保持体３６へ供給される。また、スリーブ９２の表面に残留する現像剤は、上述した磁石９０の剥離極の作用によって剥離され、現像剤収容器８０に回収される。
なお、現像剤収容器８０から現像ロール６８へ現像剤を供給する現像剤収容器８０の現像剤供給位置と、現像剤収容器８０から現像ロール６８への現像剤の供給を遮断する現像剤収容器８０の現像剤供給遮断位置と、現像ロール６８から現像剤収容器８０へ現像剤を回収する現像剤収容器８０の現像剤回収位置とは、現像装置本体６６の回転の停止位置を制御することによって異なるようにされてもよい。
【００３６】
次に、開閉部材８５を変位させて開口部８４を開閉する機構の第１の実施例について説明する。
図３は、開閉部材８５を変位させる機構の第１の実施例と現像剤収容器８０の周辺とを示す側面図であって、（Ａ）は開口部８４を開いた状態（現像時）を示し、（Ｂ）は現像ロール６８への現像剤の供給を遮断した状態を示し、（Ｃ）は開口部８４を閉じた状態（非現像時など）を示す側面図である。
開閉部材８５は、例えば現像剤収容器８０に設けられたバネなどの付勢部材９３により、背面側（図３において右側）上方から開口部８４を閉じる方向に付勢され、例えば軸方向両端それぞれで接触部材９４が接触するようにされている。接触部材９４は、例えば円柱状の軸部９６を回転軸として回転又は揺れ動く円柱状の接触部９８を備えたカムである。接触部９８の軸方向の中心は、軸部９６の軸方向の中心から外れている。
【００３７】
図３（Ａ）に示すように、開口部８４を開く場合、軸部９６から最も離れた位置で接触部９８が開閉部材８５に接触するように、制御部６２は、軸部９６を中心にして接触部材９４を回転させる。開閉部材８５が付勢部材９３の付勢に抗して接触部材９４に押されることにより、開口部８４が略全て開かれ、現像剤収容器８０内の現像剤は現像ロール６８に供給される。
【００３８】
図３（Ｂ）に示すように、接触部材９４が図３（Ａ）に示した状態から軸部９６を中心に例えば反時計回り（図３において左回り）に約９０°回転すると、接触部９８の開閉部材８５に対する接触位置が変化し、開閉部材８５が付勢部材９３の付勢によって開口部８４を例えば約半分閉じる。開口部８４が約半分閉じられると、現像剤収容器８０に収容された現像剤の上面と、上述した磁石９０の引付極との間に開閉部材８５が位置することとなり、現像剤収容器８０から現像ロール６８への現像剤の供給は遮断される。
なお、現像ロール６８から像保持体３６へ現像剤が供給された後に、現像ロール６８に残留する現像剤は、開口部８４が略全て開かれている間、及び現像ロール６８への現像剤の供給が遮断されるように開口部８４の約半分が閉じられている間に、現像剤収容器８０に回収される。
【００３９】
図３（Ｃ）に示すように、接触部材９４が図３（Ｂ）に示した状態から軸部９６を中心に例えば反時計回り（図３において左回り）に約９０°回転すると、開閉部材８５は、軸部９６に最も近い位置で接触部９８に接触し、付勢部材９３の付勢によって開口部８４を閉じる。
【００４０】
なお、接触部材９４は、現像剤収容器８０ａ〜８０ｄに対して個々に設けられてもよいし、画像形成装置本体１２側の現像剤供給回収位置の周辺に１つ設けられてもよい。
【００４１】
次に、本発明の第１の実施形態に係る画像形成装置１０の作用について説明する。
画像形成信号が送られると、像保持体３６が帯電装置３８により一様に帯電され、この帯電された像保持体３６には、画像信号に基づいて露光装置４２から光線が出射される。露光装置４２からの光線は、像保持体３６の表面を露光し、静電潜像が形成される。
【００４２】
像保持体３６に保持された静電潜像は、現像剤の色ごとに現像装置３４により現像され、中間転写体４６に一次転写される。そして、中間転写体４６上で各色の現像剤像が重ね合わされて、カラー画像が形成される。
ここで、現像ロール６８には、現像剤収容器８０ａ〜８０ｄからイエロー、マゼンタ、シアン及び黒の現像剤がそれぞれ供給される。そして、現像ロール６８に過剰に供給された現像剤は、現像ロール６８に次の色の現像剤が供給される前に同じ色の現像剤収容器８０に回収される。また、現像剤収容器８０ａ〜８０ｄは、現像ロール６８による１つの色の現像が終わるごとに、現像ロール６８への現像剤の供給を遮断する。一次転写において、像保持体３６に残留する廃現像剤は、像保持体用クリーナ４０によって掻き取られ、回収される。
【００４３】
一方、給紙信号等により、給紙カセット１６に収容された用紙は、取り出しロール１８により取り出され、供給ロール２０及び捌きロール２２により捌かれて最上部の用紙のみ搬送路２４に導かれ、レジストロール３０により一次停止され、タイミングをとって二次転写ロール６０と二次転写バックアップロール５４との間に導かれる。用紙が二次転写ロール６０と二次転写バックアップロール５４との間に導かれると、中間転写体４６に一次転写されている現像剤像が二次転写ロール６０と二次転写バックアップロール５４とによって用紙に二次転写される。
【００４４】
現像剤像を転写された用紙は、定着装置２８に導かれ、加熱ロールと加圧ロールとによって現像剤像を定着される。現像剤像が定着した用紙は、排出ロール３２により排出口２６から排出される。
【００４５】
次に、開閉部材８５を変位させて開口部８４を開閉する機構の第２の実施例について説明する。
図４は、開閉部材８５を変位させて開口部８４を開閉する機構の第２の実施例を示す側面図である。なお、図４において、図２に示した構成部分と実質的に同一のものには、同一の符号が付してある。
開閉部材８５は、図示しないバネなどの付勢部材により、背面側（図４において右側）上方から開口部８４を閉じる方向に付勢されている。
また、現像ロール６８の例えば軸方向両端近傍には、開閉部材８５に対する接触位置に応じて開閉部材８５の移動を規制する移動規制部１００が設けられている。
【００４６】
現像装置本体６６が回転することにより、現像剤収容器８０が移動して現像剤供給回収位置に近づくと、移動規制部１００は、開閉部材８５に接触して開閉部材８５の移動を規制する。移動規制部１００に開閉部材８５が接触した後に現像装置本体６６が回転し続けると、開閉部材８５の移動が規制された状態で現像剤収容部本体８３が移動を続け、現像剤収容器８０が現像剤供給回収位置に移動したときに開口部８４は略全て開かれるようにされている。
【００４７】
現像ロール６８から像保持体３６への現像剤の供給が終了すると、現像装置本体６６がさらに回転し、開閉部材８５に対する移動規制部１００の接触位置が変化する。ここで、図示しないバネなどの付勢部材による付勢によって開口部８４の例えば約半分が閉じられ、現像剤収容器８０から現像ロール６８への現像剤の供給が遮断されるように、移動規制部１００は、開閉部材８５が接触する部分の形状が調整されている。
なお、現像ロール６８から像保持体３６へ現像剤が供給された後に、現像ロール６８に残留する現像剤は、開口部８４が略全て開かれている間、及び現像ロール６８への現像剤の供給が遮断されるように開口部８４の約半分が閉じられている間に、現像剤収容器８０に回収される。
【００４８】
現像ロール６８に残留する現像剤が現像剤収容器８０に回収されると、現像装置本体６６がさらに回転することにより、開閉部材８５は、移動規制部１００に対して接触しない位置まで移動する。開閉部材８５は、移動規制部１００に接触しない場合、図示しないバネなどの付勢部材による付勢によって開口部８４を全て閉じる。
【００４９】
なお、上記実施形態においては、２成分現像剤を用いて静電潜像を可視化する場合を例に説明したが、これに限定されることなく、例えば現像装置３４は、１成分現像剤を用いて静電潜像を可視化するものであってもよい。
【図面の簡単な説明】
【００５０】
【図１】本発明の第１の実施形態に係る画像形成装置の概要を示す側面図である。
【図２】本発明の実施形態に係る現像装置を示す側面図である。
【図３】開閉部材８５を変位させる機構の第１の実施例と現像剤収容器８０の周辺とを示す側面図であって、（Ａ）は開口部８４を開いた状態（現像時）を示し、（Ｂ）は現像ロール６８への現像剤の供給を遮断した状態を示し、（Ｃ）は開口部８４を閉じた状態（非現像時など）を示す側面図である。
【図４】開閉部材８５を変位させて開口部８４を開閉する機構の第２の実施例を示す側面図である。
【符号の説明】
【００５１】
１０    画像形成装置
１４    給紙ユニット
２４    搬送路
２８    定着装置
３４    現像装置
３６    像保持体
３８    帯電装置
４２    露光装置
４４    中間転写装置
５４    二次転写バックアップロール
６０    二次転写ロール
６２    制御部
６６    現像装置本体
６８    現像ロール
７０    層厚規制部材
８０ａ〜８０ｄ    現像剤収容器
８２    回転軸
８３ａ〜８３ｄ    現像剤収容部本体
８４ａ〜８４ｄ    開口部
８５ａ〜８５ｄ    開閉部材
８６ａ〜８６ｄ    第１の攪拌搬送部材
８８ａ〜８８ｄ    第２の攪拌搬送部材
９０    磁石
９２    スリーブ
９４    接触部材
９６    軸部
９８    接触部
１００    移動規制部
【図１】
2009198976.tif 000003
【図２】
2009198976.tif 000004
【図３】
2009198976.tif 000005
【図４】
2009198976.tif 000006